(57)【要約】【課題】着用者への密着性が高く、包装時に吸収体の形状を損なうことがない吸収性物品であって、軟便や水様便が排泄された場合にも、便漏れのない吸収性物品を提供すること。【解決手段】トップシートと、バックシートと、吸収体とを有し、包装に際して折り線により折り畳まれる吸収性物品であって、吸収体は、排尿域において凸型立体形状部を有するとともに、凸型立体形状部に対して、折り線を中心として線対称となる位置に凹型立体形状部を有し、凹型立体形状部は、凸型立体形状部よりも広い領域に亘っているとともに、吸収性物品が折り線により折り畳まれたときに、凸型立体形状部を、完全に収容可能な寸法、位置、及び形状を有しており、凹型立体形状部は、全周に亘り、その周壁が防漏壁状となっている、吸収性物品。【選択図】図１
2017225769.tif 000002
【特許請求の範囲】
【請求項１】
液透過性のトップシートと、液不透過性のバックシートと、トップシート及びバックシートの間に配置された吸収体とを有し、包装に際して折り線により折り畳まれる吸収性物品であって、
前記吸収体は、前方域と、排尿域と、後方域と、を有し、
前記吸収体は、排尿域において、周囲に比して盛り上がった凸型立体形状部を有するとともに、凸型立体形状部に対して、折り線を中心として線対称となる位置に、吸収体の厚みが周囲に比して薄くなった凹型立体形状部を有し、
前記凹型立体形状部は、前記凸型立体形状部よりも広い領域に亘っているとともに、吸収性物品が折り線により折り畳まれたときに、前記凸型立体形状部を、完全に収容可能な寸法、位置、及び形状を有しており、
前記凹型立体形状部は、全周に亘り、その周壁が防漏壁状となっている、吸収性物品。
【請求項２】
前記凸型立体形状部は、その長さが２０ｍｍ以上２３０ｍｍ以下、その幅が１０ｍｍ以上１８０ｍｍ以下、その高さが２ｍｍ以上１０ｍｍ以下である、請求項１に記載の吸収性物品。
【請求項３】
前記凹型立体形状部は、その長さが５０ｍｍ以上２５０ｍｍ以下、その幅が４０ｍｍ以上２００ｍｍ以下、その深さが２ｍｍ以上１０ｍｍ以下である、請求項１又は２に記載の吸収性物品。
【請求項４】
前記凹型立体形状部の面積が、２０ｃｍ２以上４００ｃｍ２以下であり、前記凹型立体形状部の左右両端部における最外縁は、立体ギャザーの固定部よりも内側に配置されている、請求項１から３のいずれかに記載の吸収性物品。
【発明の詳細な説明】
【技術分野】
【０００１】
本発明は、着用者への密着性が高く、包装時に吸収体の形状を損なうことがない吸収性物品に関する。
【背景技術】
【０００２】
一般的に大人用紙おむつには、テープ止めタイプ、尿取りパッド、パンツタイプ等があり、これらの紙おむつは着用対象者の排泄における介護の必要度に応じて適宜選択されて使用される。これらの吸収性物品は、液透過性のトップシートと、液不透過性のバックシートと、両シートの間に配置された吸収体と、で構成されている。このような構成を採用することにより、尿等の体液は、吸収性物品のトップシートを透過して吸収体に吸収され、バックシートにより外部へ漏れないようになっている。
【０００３】
ところで、テープ止めタイプやパンツタイプの紙おむつは、それ自体を単独で使用する場合と、その内側に尿取りパッドを併用する場合があるが、現在は、尿取りパッドと併用し、吸収性物品である尿取りパッドを、トップシート上に重ねて使用する場合がほとんどである。これは、紙おむつ１枚当たりのコストが高いためで、テープ止めタイプやパンツタイプの紙おむつに比して安価な尿取りパッドで排泄物を吸収して保持した後、尿取りパッドのみを交換することで、排泄後においても、よりコストの高いテープ止めタイプやパンツタイプの紙おむつを交換せずに済み、経済的に低いコストで紙おむつを使用できるためである。
【０００４】
ここで、パンツタイプの紙おむつと併用される尿取りパッドについては、その全体を紙おむつの内装パッドの立体ギャザーの内側に収める必要があるため、尿取りパッドの長さ、幅、面積ともに、テープ止めタイプの紙おむつと併用される尿取りパッドよりも小さくせざるを得ない。このため、吸収性物品からの体液の漏れを防止しつつ、その吸収性能を十分に発揮させるためには、身体への密着性を向上させる必要がある。具体的には、着用者の股間部に隙間を作らせないよう、尿道口に尿取りパッドの吸収面を密着させることが必要である。
【０００５】
このような課題を解決するため、例えば、特許文献１には、液透過性のトップシートと、液不透過性のバックシートと、トップシート及びバックシートの間に配置された吸収体と、を備えた吸収性物品において、吸収体の長手方向中心線の両側に、中心線を基準として略対称に、長手方向中心線側に向かって凸状に形成した一対の第１エンボスと、吸収体の長手方向中心線の両側に、中心線を基準として略対称に、長手方向中心線側から吸収体の幅方向外側に向かって凸状に形成した第２のエンボスを設け、着用時に吸収体を肌側に向かって立体的に隆起させる、吸収性物品が開示されている。
【先行技術文献】
【特許文献】
【０００６】
【特許文献１】特開２０１２−１２０７９２号公報
【発明の概要】
【発明が解決しようとする課題】
【０００７】
ここで、吸収性物品の、着用者への密着性を向上させようとする場合、吸収体に凸部を設けることも可能であり、それにより、尿道口に吸収性物品を密着させることができるが、これを製品とする場合、吸収性物品を長手方向に折り畳み、複数枚配列又は積層して包装袋に一括包装するため、対面する吸収体同士が重なり合って潰れてしまう、という問題が生じる。また、吸収性物品に凸部を形成して、着用者との密着性を向上させた場合においても、軟便や水様便が排泄された場合には、吸収が間に合わずに便漏れにつながるという問題もある。したがって、本発明は以上の課題に鑑みてなされたものであり、着用者への密着性が高く、包装時に吸収体の形状を損なうことがない吸収性物品であって、軟便や水様便が排泄された場合にも、便漏れのない吸収性物品を提供することを目的とする。
【課題を解決するための手段】
【０００８】
本発明の発明者らは、上記課題に鑑み、鋭意研究を行った。その結果、包装に際して折り線により折り畳まれる吸収性物品において、吸収性物品が、吸収体の排尿域において、周囲に比して盛り上がった凸型立体形状部と、凸型立体形状部に対して、折り線を中心として線対称となる位置に、吸収体の厚みが周囲に比して薄くなった所定の凹型立体形状部と、を有し、凹型立体形状部が、全周に亘り、その周壁が防漏壁状となっている、吸収性物品によれば、上記課題を解決できることを見出し、本発明を完成するに至った。具体的には、本発明は、以下のものを提供する。
【０００９】
（１）本発明の第１の態様は、液透過性のトップシートと、液不透過性のバックシートと、トップシート及びバックシートの間に配置された吸収体とを有し、包装に際して折り線により折り畳まれる吸収性物品であって、前記吸収体は、前方域と、排尿域と、後方域と、を有し、前記吸収体は、排尿域において、周囲に比して盛り上がった凸型立体形状部を有するとともに、凸型立体形状部に対して、折り線を中心として線対称となる位置に、吸収体の厚みが周囲に比して薄くなった凹型立体形状部を有し、前記凹型立体形状部は、前記凸型立体形状部よりも広い領域に亘っているとともに、吸収性物品が折り線により折り畳まれたときに、前記凸型立体形状部を、完全に収容可能な寸法、位置、及び形状を有しており、前記凹型立体形状部は、全周に亘り、その周壁が防漏壁状となっている、吸収性物品である。
【００１０】
（２）本発明の第２の態様は、（１）に記載の吸収性物品であって、前記凸型立体形状部は、その長さが２０ｍｍ以上２３０ｍｍ以下、その幅が１０ｍｍ以上１８０ｍｍ以下、その高さが２ｍｍ以上１０ｍｍ以下であることを特徴とするものである。
【００１１】
（３）本発明の第３の態様は、（１）又は（２）に記載の吸収性物品であって、前記凹型立体形状部は、その長さが５０ｍｍ以上２５０ｍｍ以下、その幅が４０ｍｍ以上２００ｍｍ以下、その深さが２ｍｍ以上１０ｍｍ以下であることを特徴とするものである。
【００１２】
（４）本発明の第４の態様は、（１）から（３）のいずれかに記載の吸収性物品であって、前記凹型立体形状部の面積が、２０ｃｍ２以上４００ｃｍ２以下であり、前記凹型立体形状部の左右両端部における最外縁は、立体ギャザーの固定部よりも内側に配置されていることを特徴とするものである。
【発明の効果】
【００１３】
本発明の吸収性物品によれば、吸収体の排尿域に凸型立体形状部を有しているので、吸収性物品の着用時に、吸収性物品が着用者の尿道口に密着し、体液の漏れを効果的に防止することができる。また、凸型立体形状部に対して、折り線を中心として線対称となる位置に、吸収体の厚みが周囲に比して薄くなった所定の凹型立体形状部を有しているので、吸収性物品が折り線により折り畳まれた場合においても、凸型立体形状部が凹型立体形状部に収容され、凸型立体形状部が潰れてしまうことがない。さらに、本発明の吸収性物品においては、凹型立体形状部が、全周に亘り、その周壁が防漏壁状となっているので、軟便や水様便が排泄された場合においても、凹型立体形状部の周壁で、軟便や水様便の便漏れを防止することができる上、尿と便が、混じり合うことなく吸収体に吸収される。
【図面の簡単な説明】
【００１４】
【図１】本発明の吸収性物品の平面図を示す図面である。
【図２】図１におけるＸ１−Ｘ１断面図を示す図面である。
【図３】図１におけるＸ２−Ｘ２断面図を示す図面である。
【図４】比較例１の吸収性物品の平面図を示す図面である。
【図５】比較例２の吸収性物品の平面図を示す図面である。
【図６】比較例３の吸収性物品の平面図を示す図面である。
【図７】本発明の別の態様における吸収性物品の平面図を示す図面である。
【発明を実施するための形態】
【００１５】
＜吸収性物品＞
本明細書の説明において、吸収性物品１の着用時とは、吸収性物品１の装着時及び装着後の少なくとも一方をいう。吸収性物品１の長手方向とは、吸収性物品１が着用されたときに着用者の前後に亘る方向であり、図中、符号Ｙで示す方向である。また、吸収性物品１の幅方向とは、長手方向に対して横又は直交する方向であり、図中、符号Ｘで示す方向である。さらに、身体側表面とは、吸収体２３等の各部材の表裏両面のうち、着用時に着用者の肌側に配される面であり、衣類側表面とは、吸収体２３等の各部材の表裏両面のうち、着用時に着用者の肌側とは反対側に向けられる面である。体液とは、尿、血液、軟便中の水分等の体内から体外に排出された液体をいう。さらに、吸収性物品１の用途は、特に限定されるものではなく、一般には、幼児又は成人用を問わず、テープ止めタイプの使い捨ておむつ、パンツタイプの使い捨ておむつ、尿取りパッド、軽失禁パッド、生理用品等であってもよいが、本発明は、テープ止めタイプ及びパンツタイプの使い捨ておむつと併用される尿取りパッドに好適に適用される。本発明の吸収性物品１は、長手方向の長さが３００ｍｍ以上６００ｍｍ以下、幅方向の長さが１００ｍｍ以上２００ｍｍ以下である吸収性物品に、特に好適に適用することができる。
【００１６】
図１は、本発明の吸収性物品１の平面図を示す図面である。本発明の吸収性物品１においては、吸収体２３は、着用者の腹側に位置する前方域１Ａ、着用者の背側に位置する後方域１Ｃと、着用者の股間部に接する排尿域１Ｂに区分される。
【００１７】
吸収性物品１は、身体側表面に配された液透過性のトップシート２１と、トップシート２１に対向して配置された液不透過性のバックシート２２と、トップシート２１とバックシート２２との間に少なくとも１層配置された吸収体２３と、を備えている。
【００１８】
また、吸収性物品１には、使用者の排泄した体液の横漏れを防止するため、吸収性物品１の長手方向に沿って、トップシート２１上に、立体ギャザー用弾性部材２４ａを有する一対の立体ギャザー２４を備えていてもよい。吸収性物品１の幅方向における立体ギャザー２４の外端は、バックシート２２に固定され、その内端はトップシート２１に固着され、その中央はトップシート２１に固定されない自由端となるように、立体ギャザーシート２４ｂが配される。立体ギャザー用弾性部材２４ａを長手方向に沿って設けることで、立体ギャザー２４が起立性を有し、着用者の体型に合わせて変形可能なものとなる。立体ギャザー用弾性部材２４ａとしては、例えば、ポリウレタン糸、帯状のポリウレタンフィルム、糸状又は帯状の天然ゴム等が使用され、立体ギャザーシート２４ｂとしては、疎水性繊維にて形成された撥水性又は不透液性の不織布、例えば、スパンボンド不織布やメルトブロー不織布、スパンボンド／メルトブロー／スパンボンドを積層した複合不織布等が使用される。
【００１９】
［トップシート］
トップシート２１は、体液が吸収体２３へと移動するような液透過性を備えた基材から形成すればよく、例えば、サーマルボンド不織布、スパンボンド不織布等の不織布、サーマルボンド／スパンボンドを積層した複合不織布、開口ポリエチレンフィルム等の開口性フィルム、ポリエチレンフォーム、ウレタンフォーム等の発泡フィルム、あるいは、これらを積層した複合シートといった材料から形成される。また、トップシート２１には、液透過性を向上させるために、表面にエンボス加工や穿孔加工を施してもよい。これらのエンボス加工や穿孔加工を施すための方法としては、公知の方法を制限なく実施することができる。また、肌への刺激を低減させるため、トップシート２１には、ローション、酸化防止剤、抗炎症成分、ｐＨ調整剤、抗菌剤、保湿剤等を含有させてもよい。さらに、強度及び加工性の点から、トップシート２１の坪量は、１８ｇ／ｍ２以上４０ｇ／ｍ２以下であることが好ましい。トップシート２１の形状としては特に制限はないが、漏れがないように体液を吸収体２３へと誘導するために必要とされる、吸収体２３を覆う形状であればよい。
【００２０】
［バックシート］
バックシート２２は、吸収体２３が保持している体液が衣類を濡らさないような液不透過性を備えた基材を用いて形成すればよく、樹脂フィルムや、樹脂フィルムと不織布とを積層した複合シートといった材料から形成される。複合シートに用いられる不織布としては、製法を特に限定せず、例えば、スパンボンド不織布やメルトブロー不織布、あるいは、スパンボンド／メルトブロー、スパンボンド／メルトブロー／スパンボンドを積層した複合不織布及びこれらの複合材料が挙げられる。また、樹脂フィルムとしては、例えば、ポリエステル、ポリビニルアルコール、ポリエチレン、ポリプロピレン、ポリエチレンとポリプロピレンの複合フィルム等が挙げられる。
【００２１】
強度及び加工性の点から、バックシート２２の坪量は、１５ｇ／ｍ２以上４０ｇ／ｍ２以下であることが好ましい。また、装着時の蒸れを防止するため、バックシート２２は、通気性を持たせることが好ましい。バックシート２２に通気性を備えさせるためには、例えば、基材の樹脂フィルムにフィラーを配合したり、バックシート２２にエンボス加工を施したりすればよい。なお、フィラーとしては炭酸カルシウムを挙げることができ、その配合方法は、公知の方法を制限なく行うことができる。
【００２２】
［吸収体］
吸収体２３は、基材としての吸収性繊維と、高吸収性ポリマー（ＳＡＰ）と、を含有することが好ましい。吸収性繊維は、一般に生理用ナプキンや紙おむつ、尿取りパッド等の吸収性物品に使用されるものであれば特に制限はなく、例えば、フラッフパルプ、コットン、レーヨン、アセテート、ティシュ、吸収紙、親水性不織布等を挙げることができる。これらの中でも、吸収性の観点から、フラッフパルプを使用することが好ましい。斯かるフラッフパルプとしては、木材パルプ、合成繊維、ポリマー繊維、非木材パルプ等を綿状に解繊したものを挙げることができる。吸収体２３の吸収性繊維は、吸収性能及び肌触りを損なわないよう、１００ｇ／ｍ２以上８００ｇ／ｍ２以下の坪量とすることが好ましい。
【００２３】
吸収体２３の高吸収性ポリマーとしては、体液を吸収し、かつ、逆流を防止できるものであれば特に制限はなく、ポリアクリル酸ナトリウム系、ポリアスパラギン酸塩系、（デンプン−アクリル酸）グラフト共重合体、（アクリル酸−ビニルアルコール）共重合体、（イソブチレン−無水マレイン酸）共重合体及びそのケン化物等の材料から形成されたものを使用することができる。これらの中でも、重量当たりの吸収量の観点から、ポリアクリル酸ナトリウム系が好ましい。吸収体２３のＳＡＰ量は、吸収性能及び肌触りを損なわないよう、５０ｇ／ｍ２以上５００ｇ／ｍ２以下の坪量とすることが好ましく、１５質量％以上５０質量％以下の含有量とすることが好ましい。
【００２４】
吸収体２３において、吸収性繊維及びＳＡＰの形態は、吸収性繊維中にＳＡＰ粒子を混合して形成したもの、あるいは、吸収性繊維間にＳＡＰ粒子を固着したＳＡＰシートとしたものであることが好ましい。また、ＳＡＰ粒子の漏洩防止や吸収体２３の形状の安定化の目的から、吸収体２３をキャリアシートに包むことが好ましい。キャリアシートの基材としては親水性を有するものであればよく、ティシュ、吸収紙、エアレイド不織布等の親水性不織布を挙げることができる。キャリアシートを複数備える場合は、キャリアシートの基材は同一のものであっても異なるものであってもよい。
【００２５】
吸収体２３は、上層吸収体と下層吸収体とを積層してなるものであることが好ましい。この場合、上層吸収体と下層吸収体の長手方向及び幅方向の長さは、上層吸収体の長さが下層吸収体の長さより長くてもよく、上層吸収体の長さが下層吸収体の長さと同じであってもよく、上層吸収体の長さが下層吸収体の長さより短くてもよい。
【００２６】
（凸型立体形状部）
図２は、図１におけるＸ１−Ｘ１断面図を示す図面である。本発明の吸収性物品１においては、吸収体２３が、排尿域１Ｂにおいて、周囲に比して盛り上がった凸型立体形状部２３１を有している。吸収体２３の排尿域１Ｂに、凸型立体形状部２３１が設けられていることにより、吸収体２３の、着用者の尿道口に対する密着性が良好になり、着用者から排泄される体液を、漏れを起こすことなく、効果的に吸収することができるようになる。凸型立体形状部２３１の平面形状は、特に限定されるものではないが、着用者の股間部の形状に合わせ、円形状や楕円形状であることが好ましく、中央部にくびれを有していてもよい。また、凸型立体形状部２３１は、その頂部が平坦に形成されている円柱状又は円錐台形の形状であってもよいし、中央部に近づくほど、その高さが高くなるような丘状の形状であってもよい。
【００２７】
凸型立体形状部２３１の寸法は、その長さが２０ｍｍ以上２３０ｍｍ以下、その幅が１０ｍｍ以上１８０ｍｍ以下、その高さが２ｍｍ以上１０ｍｍ以下であることが好ましく、長さが４０ｍｍ以上１５０ｍｍ以下、幅が２０ｍｍ以上１００ｍｍ以下、高さが３ｍｍ以上６ｍｍ以下であることがより好ましい。凸型立体形状部２３１の寸法が、上記の範囲内のものであることにより、凸型立体形状部２３１が、着用者の股間部にフィットし、体液の漏れを効果的に防止することができる。
【００２８】
（凹型立体形状部）
図３は、図１におけるＸ２−Ｘ２断面図を示す図面である。本発明の吸収性物品１においては、吸収体２３が、凸型立体形状部２３１に対して、折り線２５を中心として線対称となる位置に、吸収体２３の厚みが周囲に比して薄くなった凹型立体形状部２３２を有している。そして、この凹型立体形状部２３２は、凸型立体形状部２３１よりも広い領域に亘っているとともに、吸収性物品１が折り線２５により折り畳まれたときに、凸型立体形状部２３１を、完全に収容可能な寸法、位置、及び形状を有している。凹型立体形状部２３２の平面形状は、凸型立体形状部２３１の平面形状と対応関係にあることが好ましく、例えば、凸型立体形状部２３１の平面形状が円形の場合には、凹型立体形状部２３２の平面形状も円形であることが好ましい。吸収体２３に凹型立体形状部２３２が設けられていることにより、折り線２５により吸収性物品１が折り畳まれたときに、凹型立体形状部２３２で凸型立体形状部２３１を収容することができるので、吸収性物品１が包装される際に、凸型立体形状部２３１が潰れてしまうことを防止できる。
【００２９】
また、本発明の吸収性物品１においては、凹型立体形状部２３２が、全周に亘り、その周壁２３３が防漏壁状となっている。凹型立体形状部２３２の周壁２３３が防漏壁状となっていることにより、軟便や水様便が排泄された場合においても、防漏壁状の周壁２３３でこれらの便の漏れを防止することができる。凹型立体形状部２３２は、軟便や水様便を保持可能なように、吸収体２３の後方域１Ｃに設けられていることが好ましい。また、凹型立体形状部２３２の寸法は、その長さ、幅、深さのいずれにおいても、凸型立体形状部２３１の長さ、幅、高さのそれぞれよりも大きいことが好ましく、その長さが５０ｍｍ以上２５０ｍｍ以下、その幅が４０ｍｍ以上２００ｍｍ以下、その深さが２ｍｍ以上１０ｍｍ以下であることが好ましく、長さが６０ｍｍ以上２００ｍｍ以下、幅が５０ｍｍ以上１５０ｍｍ以下、深さが４ｍｍ以上８ｍｍ以下であることがより好ましい。凹型立体形状部２３２が以上のような寸法を有することにより、折り線２５を中心に、線対称に位置する凸型立体形状部２３１を十分に収容可能となるとともに、軟便や水様便の漏れも効果的に防止することができる。
【００３０】
凹型立体形状部２３２は、その面積が２０ｃｍ２以上４００ｃｍ２以下であることが好ましく、４０ｃｍ２以上３００ｃｍ２以下であることがより好ましい。また、凹型立体形状部２３２の左右両端部における最外縁は、立体ギャザー２４の固定部よりも内側に配置されていることが好ましい。凹型立体形状部２３２の面積を上記の範囲内のものとし、その左右両端部における最外縁を、立体ギャザー２４の固定部よりも内側に配置することにより、軟便や水様便の漏れを効果的に防止することができる。
【００３１】
なお、凸型立体形状部２３１と凹型立体形状部２３２は、折り線２５を中心として線対称に設けられていることが好ましく、図１及び図７に示されるように、吸収性物品１が２つ折りにされる場合と、吸収性物品１が３つ折りにされる場合とで、それぞれ異なる位置に設けられることが好ましい。
【００３２】
本発明の吸収性物品１は、長手方向の寸法が３００ｍｍ以上６００ｍｍ以下、幅方向の寸法が１００ｍｍ以上２００ｍｍ以下のものであることが好ましい。また、吸収性物品１の形態は、尿取りパッドであることが好ましく、特にテープ止めタイプ及びパンツタイプの使い捨て紙おむつと併用される尿取りパッドであることが好ましい。
【００３３】
＜吸収性物品の製造方法＞
吸収性物品１の製造方法は、周知の方法を採用することができ、例えば、（Ａ）吸収性繊維を高吸収性ポリマーとともに積繊して吸収体マットを作成し、吸収体２３を形成する工程、（Ｂ）トップシート２１と立体ギャザー２４をホットメルト系接着剤で固定・一体化する工程、（Ｃ）トップシート２１、立体ギャザー２４、及びバックシート２２の内側にホットメルト系接着剤を塗工する工程、（Ｄ）集合ドラムにおいて、吸収体２３の上部にトップシート２１を、吸収体２３の下部にバックシート２２を配置し、各構成部材を固定・一体化する工程、（Ｅ）吸収性物品１の半製品をカッター装置により製品寸法でカットし、個々の吸収性物品１を切り離す工程、を有する製造方法等を挙げることができる。そして、本発明において吸収性物品１の吸収体２３を成形する際には、吸収体２３のトップシート２１側に、所定の凸型立体形状部２３１及び凹型立体形状部２３２を形成すればよい。
【実施例】
【００３４】
以下、本発明について、実施例を挙げて詳細に説明する。なお、本発明は以下に示す実施例に何ら限定されるものではない。
【００３５】
＜実施例１＞
（吸収体の作製）
パルプシートを粉砕して解繊したフラッフパルプ２０ｇと、高吸収性ポリマー６ｇとをともに積繊した吸収体マットを準備し、長さ４００ｍｍ、幅１２０ｍｍにカットし、トップシート側に、表１に示すような凸型立体形状部と凹型立体形状部を形成した吸収体を用意した。この吸収体を用いて、長さ４５０ｍｍ、幅１６０ｍｍの尿取りパッドを作製し、実施例１のサンプルとした。なお、トップシートとしては、エアスルー不織布（坪量２２ｇ／ｍ２）を用い、バックシートとしては、通気性ポリエチレンフィルム（坪量３５ｇ／ｍ２）を用いた。得られた尿取りパッドの前方域における、吸収速度、液戻り量を以下に従って測定・評価すると共に、モニターテストの官能評価により、尿漏れし難さ、便漏れし難さを評価した。得られた結果を表１に示す。なお、表１中、凸型立体形状部の「包装後高さ」とは、吸収性物品を一度二つ折りにして包装し、次いで包装を開いた後の凸型立体形状部の高さを示す。
【００３６】
（吸収速度）
外径８０ｍｍの円柱の中央に内径３０ｍｍの穴が開いており、重さ２ｋｇとした測定冶具を、トップシートを上に向けた状態で、尿取りパッドの長手方向、かつ幅方向の中央部の上に置き、上部の穴から生理食塩水１５０ｍｌを投下し、生理食塩水が尿取りパッドに接触した時点から、測定治具中央円内の円周に生理食塩水が完全に吸い込まれるまでを終点として時間を計測し、吸収速度とした。
【００３７】
（液戻り量）
吸収性物品の中央に生理食塩水３００ｍｌを注入し、１０分経過後に、あらかじめご承知重量を測定したろ紙（ＡＤＶＡＮＴＥＣ社製Ｎｏ．２ろ紙、直径５５ｍｍ）を注入部の中心に置き、ろ紙の上に６８７ｇの錘を載せた（圧力；３５ｇｆ／ｃｍ２）。錘を載せてから１分経過後に、ろ紙の重量を測り、試験前後のろ紙の重量差（ｇ）を液戻り量とした。液戻り量は、Ｎ＝１０サンプルについて行ったものの平均値とした。液戻り量が少ないほど吸収性能に優れる。
【００３８】
（尿漏れし難さ）
２０名のパネラーにより、吸収性物品の着用時の横漏れについて、「尿漏れがある」または「尿漏れがない」の選択で調査を行い、以下の基準により評価を行った。
◎：「尿漏れがない」が１６人以上２０人以下のとき
○：「尿漏れがない」が１１人以上１５人以下のとき
△：「尿漏れがない」が６人以上１０人以下のとき
×：「尿漏れがない」がいないか、１人以上５人以下の時
【００３９】
（便漏れし難さ）
２０名のパネラーにより、吸収性物品の着用時の横漏れについて、「便漏れがある」または「便漏れがない」の選択で調査を行い、以下の基準により評価を行った。
◎：「便漏れがない」が１６人以上２０人以下のとき
○：「便漏れがない」が１１人以上１５人以下のとき
△：「便漏れがない」が６人以上１０人以下のとき
×：「便漏れがない」がいないか、１人以上５人以下の時
【００４０】
＜比較例１及び２＞
凹型立体形状部のみを形成せず（比較例１）、凸型立体形状部のみを形成せず（比較例２）、又は凹型立体形状部も凸型立体形状部もいずれも形成しなかった（比較例３）点以外は、実施例１と同様にして吸収性物品を作成し、実施例１と同一の試験・評価を行った。なお、比較例１、２、及び３の吸収性物品の平面図をそれぞれ図４、５、及び６に示した。
【００４１】
以上の結果を表１に示す。
【表１】
2017225769.tif 000003
【００４２】
表１より明らかなように、凸型立体形状部を設けたことにより、前方域における吸収速度が向上し、液戻り量も低減した。加えて、凸型立体形状部を設けたことにより、尿漏れし難さが改善した（実施例１及び比較例２）。さらに、凸型立体形状部に加えて、凹型立体形状部を設けたことにより、包装後の凸型立体形状部の高さがより高く維持され、包装により凸型立体形状部が潰れてしまっていないことが分かる。加えて、凹型立体形状部を設けることにより、便漏れし難さもより改善されることとなった（実施例１及び比較例１）。以上の結果より、凸型立体形状部及び凹型立体形状部を設けることにより、吸収性物品の吸収性能が改善されるとともに、尿漏れ、便漏れが効果的に抑制されたことが分かる。
【符号の説明】
【００４３】
１        吸収性物品
１Ａ      前方域
１Ｂ      排尿域
１Ｃ      後方域
２１      トップシート
２２      バックシート
２３      吸収体
２３１    凸型立体形状部
２３２    凹型立体形状部
２３３    周壁
２４      立体ギャザー
２４ａ    立体ギャザー用弾性部材
２４ｂ    立体ギャザーシート
２５      折り線
Ｙ        長手方向
Ｘ        幅方向
【図１】
2017225769.tif 000004
【図２】
2017225769.tif 000005
【図３】
2017225769.tif 000006
【図４】
2017225769.tif 000007
【図５】
2017225769.tif 000008
【図６】
2017225769.tif 000009
【図７】
2017225769.tif 000010